(57)【要約】【課題】外部メモリ装着時に原稿の有無を判断し、フォルダ選択画面もしくは文書選択画面を適切に表示する画像形成装置において、フォルダ設定操作は原稿設置／除去の操作後に行わなければならない、という操作の順番の制限があった。【解決手段】原稿設置／除去の操作を行うと、先に表示していたフォルダ情報および選択文書の情報を保持したまま適切な画面に遷移する。【選択図】図２
2018129646.tif 000002
【特許請求の範囲】
【請求項１】
外部メモリを装着できる画像形成装置において、
外部メモリの装着を検知する外部メモリ検知部と、
原稿が設置されたことを検知する原稿検知部と、
ＵＩの画面を制御する画面制御部と、
前記外部メモリ検知部で外部メモリが装着されたことを検知した場合に、前記原稿検知部にて原稿が設置されているとすでに判明している場合には、画面制御部にてスキャンした原稿のデータを保存するフォルダを選択するためのフォルダ選択画面をＵＩに表示し、前記原稿検知部にて原稿が設置されていないとすでに判明している場合には、前記画面制御部にてプリントする文書を選択するための文書選択画面をＵＩに表示することを特徴とし、
さらに、外部メモリが装着されている状態で、文書選択画面において原稿を設置、フォルダ選択画面において原稿の除去を行うと、それぞれ現在選択されているフォルダを対象としたフォルダ選択画面、文書選択画面をＵＩに表示することを特徴とする画像形成装置。
【請求項２】
外部メモリが装着されている状態で、プリント基本画面において原稿を設置、スキャン画面において原稿の除去を行うと、それぞれ現在選択されているフォルダを対象とした文書選択画面、フォルダ選択画面をＵＩに表示することを特徴とする請求項１に記載の画像形成装置。
【請求項３】
外部メモリが装着されている状態で、フォルダ選択画面において文書を選択した状態で原稿の除去を行うと、現在選択されている文書を対象としたプリント基本画面をＵＩに表示することを特徴とする請求項１に記載の画像形成装置。
【請求項４】
外部メモリを装着時に、装着した前記外部メモリが空であれば原稿設置時にルートフォルダを保存場所としたスキャン基本画面をＵＩに表示することを特徴とする請求項１に記載の画像形成装置。
【請求項５】
外部メモリが装着されている状態で原稿の設置および除去を行う場合、装着している前記外部メモリが空であればルートフォルダを保存場所としたスキャン基本画面（８００）をＵＩに表示することを特徴とする請求項１に記載の画像形成装置。
【発明の詳細な説明】
【技術分野】
【０００１】
本発明は、外部メモリを装着する画像形成装置に関する。
【背景技術】
【０００２】
画像形成装置において、装着したＵＳＢメモリのような外部メモリに対してスキャン文書の保存や、メモリに保存された文書を印刷する機能を持つものがある。その際のユーザの操作は以下のようになる。
【０００３】
＜ＵＳＢメモリに対してスキャン文書を保存するケース＞
・ＵＳＢメモリを画像形成装置へ装着する
・原稿を画像形成装置へ設置する
・フォルダ選択画面をＵＩへ表示させる
・保存するＵＳＢメモリ内のフォルダを選択する
・スキャン開始、保存実行
＜ＵＳＢメモリに保存された文書を印刷するケース＞
・ＵＳＢメモリを画像形成装置へ装着する
・文書選択画面をＵＩへ表示させる
・文書を選択する
・印刷開始
このように本機能を使用する際に、ユーザは上記のようにいくつかの操作が必要である。これを画像形成装置側で原稿の有無を判断し、フォルダ選択画面もしくは文書選択画面を適切に表示するようにしたものが提案されている（例えば特許文献１）。
【先行技術文献】
【特許文献】
【０００４】
【特許文献１】特開２０１０−８７６７０号公報
【発明の概要】
【発明が解決しようとする課題】
【０００５】
しかし、従来技術ではユーザ操作の順番に制限が必要となる、という問題があった。
【０００６】
例えばスキャン文書の保存を行う際についてである。ユーザは原稿を設置せずにＵＳＢメモリを装着すると文書選択画面が自動でＵＩに表示されるが、ユーザはその画面をフォルダ選択画面かと認識してフォルダ選択操作を行ってしまう場合がある。その後、原稿を置くとフォルダ選択画面は表示される。しかし、先に選択したフォルダ情報は失われ、フォルダ選択画面の初期表示（通常はルートディレクトリの表示）となってしまう。
【０００７】
また、逆のケースもある。ユーザは圧板に原稿があることを気がつかずにＵＳＢメモリを装着すると、ＵＩにはフォルダ選択画面が出てしまう。ユーザは文書選択画面かと認識して文書を選択するためにフォルダを移動する。その後、原稿があることに気がついてそれを除去すると、画像形成装置は文書選択画面を表示するが、その際のフォルダは初期表示（通常はルートディレクトリ）となってしまう。
【課題を解決するための手段】
【０００８】
上記の課題を解決するため、本発明の画像形成装置は、外部メモリを装着できる画像形成装置において、外部メモリの装着を検知する外部メモリ検知部と、原稿が設置されたことを検知する原稿検知部と、ＵＩの画面を制御する画面制御部と、前記外部メモリ検知部で外部メモリが装着されたことを検知した場合に、前記原稿検知部にて原稿が設置されているとすでに判明している場合には、画面制御部にてスキャンした原稿のデータを保存するフォルダを選択するためのフォルダ選択画面をＵＩに表示し、前記原稿検知部にて原稿が設置されていないとすでに判明している場合には、前記画面制御部にてプリントする文書を選択するための文書選択画面をＵＩに表示することを特徴とし、さらに、外部メモリが装着されている状態で、文書選択画面において原稿を設置、フォルダ選択画面において原稿の除去を行うと、それぞれ現在選択されているフォルダを対象としたフォルダ選択画面、文書選択画面をＵＩに表示することを特徴とする。
【発明の効果】
【０００９】
本発明によれば、ユーザ操作（原稿の設置／除去とフォルダ選択）の順番に制限は必要なく、フォルダを選択後や文書選択後に原稿の設置／除去を行っても、選択したフォルダおよび文書の情報を保持したまま適切な画面を表示することができる。
【図面の簡単な説明】
【００１０】
【図１】本実施形態の画像形成装置のハードウェアブロック図
【図２】本実施形態としての画像形成装置のブロック図
【図３】本実施形態を表すフローチャート
【図４】本実施形態を表すフローチャート
【図５】本実施形態で表示する画面の一例
【図６】本実施形態で表示する画面の一例
【図７】本実施形態で表示する画面の一例
【図８】本実施形態で表示する画面の一例
【図９】ＵＳＢＩ／Ｆ割り込み処理のフローチャート
【図１０】原稿検知の割り込み処理のフローチャート
【発明を実施するための形態】
【００１１】
以下、本発明を実施するための最良の形態について図面を用いて説明する。図１において、１００はコントローラユニットであり、画像形成装置の制御を行う装置である。ＣＰＵ１０１はシステム全体を制御するための演算装置である。システムバス１１１に、ＣＰＵ１０１、ＲＡＭ１０２、ＲＯＭ１０３、ＨＤＤ１０４、操作部Ｉ／Ｆ１０５、デバイスＩ／Ｆ１０７、ネットワークＩ／Ｆ１１０が接続される。ＣＰＵ１０１は、システムバス１１１に接続された各装置を統括的に制御する。ＲＡＭ１０２はＣＰＵ１０１が動作するためのシステムワークメモリであり、画像データを一時記憶するための画像メモリである。
【００１２】
また、ＲＡＭ１０２は、オペレーティングシステムやシステムソフトウェア、アプリケーショソフトウェアなどのプログラムやデータも配置される。ＲＯＭ１０３は、システムのブートプログラムが格納されている。また、ＲＯＭ１０３は、システムプログラムやアプリケーションプログラムが格納されている場合や、フォントなど画像形成装置に必要な情報が格納されている場合もある。ＨＤＤ１０４はハードディスクドライブで、オペレーティングシステム、システムソフトウェア、アプリケーションソフトウェア、文書データ、画像データ、設定データ等を格納する。
【００１３】
ＲＡＭ１０２に格納されたプログラムは、ＣＰＵ１０１によって実行され、ＲＡＭ１０２、ＲＯＭ１０３やＨＤＤ１０４に格納された画像データや画像以外のデータを処理する。また、小型の画像形成装置では、ＨＤＤ１０４を搭載せずにシステムソフトウェア、アプリケーションソフトウェア等をＲＯＭ１０３に格納して、ハードディスクレスの構成もある。あるいは、ＨＤＤ１０４の代わりに、ＳＳＤ（Ｓｏｌｉｄ  Ｓｔａｔｅ  Ｄｉｓｋ）などフラッシュメモリのようなハードディスク以外の記憶装置を用いた構成でも構わないのは言うまでも無い。
【００１４】
コントローラユニット１００は、操作部Ｉ／Ｆ１０５、デバイスＩ／Ｆ１０７、ネットワークＩ／Ｆ１１０、ＵＳＢＩ／Ｆ１１２を持つ。操作部Ｉ／Ｆ１０５は、操作部１０６と接続されている。操作部１０６は、画像形成装置の状態を通知し、ユーザからの操作を受け取るタッチパネルなどの表示装置や、画像形成装置に指示を与えるための操作ボタンなどの画像形成装置を操作するための装置である。デバイスＩ／Ｆ１０７は、画像入出力デバイスであるスキャナ１０８やプリンタ１０９とコントローラユニット１００を接続し、画像データの入力や出力を行う。
【００１５】
スキャナ１０８からデバイスＩ／Ｆ１０７を介して入力された画像データは、ＲＡＭ１０２やＨＤＤ１０４に格納される。格納された画像データは、必要に応じてＲＡＭ１０２に格納されたアプリケーションプログラムで画像処理などが実行される。また、画像データが出力される場合も同様に、画像データは、デバイスＩ／Ｆ１０７を介してプリンタ１０９へ出力される。ネットワークＩ／Ｆ１１０は、ＬＡＮに接続し、ネットワーク上の外部機器の文書データ、画像データ、あるいは画像形成装置を制御する情報との入出力を行う。
【００１６】
ＵＳＢＩ／Ｆ１１２には、外部メモリ、例えばフラッシュメモリカードを装着し、格納されているデータを読み出してプリントする。また、スキャンしたデータを装着した外部メモリに格納する。
【００１７】
図１に図示されていない構成であっても、本発明の効果が満たされるのであれば、図２の構成に限らないのは言うまでもない。例えば、ＦＡＸ機能を持つ画像形成装置の場合には、図２には図示していなモデム装置向けＩ／Ｆがコントローラユニット１００に具備されて、モデムによって公衆回線と接続して、ＦＡＸ伝送を可能としてもよい。
【００１８】
図２は本発明における画像形成装置のブロック図である。ここに示された各手段は画像形成装置のＣＰＵ１０１によって実行される。２００は画像形成装置をあらわす。２０１は画像形成装置のＵＩである。２０２はＵＩに表示する内容を制御する画面制御部である。２０３は画像形成装置のスキャナに原稿の有無を検知する原稿検知部である。２０４は画像形成装置に装着された外部メモリを制御する外部メモリ制御部である。２０５は２０４の一部であり、外部メモリの挿抜を検知する外部メモリ検知部である。２１０は印刷を制御する印刷制御部である。２１１はスキャンを制御するスキャン制御部である。
【００１９】
以下に図２を用いて、本発明の外部メモリ内に保存された文書を印刷する処理の一例を説明する。操作ユーザが外部メモリを画像形成装置２００に外部メモリを装着すると、まず外部メモリ検知部２０５は外部メモリが装着されたことを検知する。外部メモリ制御部２０４は外部メモリの内容を読み出し、画面制御部２０２に情報を渡す。画面制御部２０２は前記情報をもとに文書選択画面をＵＩ２０１へ表示する。操作ユーザは、ＵＩ２０１から外部メモリの内部をブラウズすると、その指示はＵＩ２０１から外部メモリ制御部２０４へ伝えられる。
【００２０】
画面制御部２０２は外部メモリ制御部２０４から前記指示の結果を受け取り、ＵＩ２０１へ表示する。前記表示された外部メモリの内容から、操作ユーザはＵＩ２０１を使用して印刷する文書を特定し、印刷の開始を指示する。前記指示は印刷制御部２１０に伝えられ、文書の印刷が実行される。
【００２１】
また、本発明のスキャン文書を外部メモリに保存する処理の一例を説明する。操作ユーザが外部メモリを画像形成装置２００に外部メモリを装着すると、まず外部メモリ検知部２０５は外部メモリが装着されたことを検知する。外部メモリ制御部２０４は外部メモリの内容を読み出し、画面制御部２０２に情報を渡す。原稿を置かない場合は先に説明した通りであるが、ここで操作ユーザがスキャンする原稿を画像形成装置に設置した場合について説明する。原稿が設置されると原稿検知部２０２から原稿設置の通知がされ、画面制御部２０２が前記情報に応じてフォルダ選択画面をＵＩ２０１へ表示する。
【００２２】
操作ユーザは、ＵＩ２０１から外部メモリの内部をブラウズすると、その指示はＵＩ２０１から外部メモリ制御部２０４へ伝えられる。画面制御部２０２は外部メモリ制御部２０４から前記指示の結果を受け取り、ＵＩ２０１へ表示する。このようにして操作ユーザはＵＩ２０１を使用して保存するフォルダを選択し、原稿のスキャンの開始を指示する。前記指示はスキャン制御部２１１に伝えられ、文書のスキャンおよび保存が実行される。
【００２３】
図３、図４は画像形成装置のＣＰＵ１０１によって実行されるフローチャートの一例である。これらのフローチャートは画像形成装置のプログラムの一部であり、ＣＰＵ１０１によって実行される。
【００２４】
図３はＵＳＢＩ／Ｆ割り込み処理のフローチャートである。外部メモリ検知部２０５において外部メモリの挿抜の操作を検知すると、その都度本処理が実行される。Ｓ３０１では他の割り込みを禁止にする。Ｓ３０２では、本発明とは関係の無い処理を行う。その内容の説明は割愛する。次にＳ３０３で、外部メモリ検知部２０５からの情報により外部メモリが装着されたか、もしくは外されたかを判断し、その結果によって処理を分岐させる。装着された場合はＳ３１０へ、外された場合はＳ３２０へ処理を進める。Ｓ３１０では、ＵＳＢＦｌａｇを「あり」に設定する。
【００２５】
本フラグは図４でのフローチャートの処理で使用される。Ｓ３１１では原稿Ｆｌａｇの設定値によって処理を分岐させる。原稿Ｆｌａｇが「あり」に設定されているとＳ３４０へ、「なし」に設定されているとＳ３５０へ進める。Ｓ３４０では、画面制御部２０２が画面処理１としてフォルダ選択画面６００を表示する。Ｓ３５０では、画面制御部２０２が画面処理２として文書選択画面５００を表示する。その後どちらもＳ３４１へ進み、割り込み禁止を解除し、Ｓ３９９にて本処理３００を終了させる。Ｓ３２０では、ＵＳＢＦｌａｇを「なし」に設定し、Ｓ３４１へ処理を進め、それ以降は先に説明したとおりである。
【００２６】
図４は原稿検知の割り込み処理のフローチャートである。原稿検知部２０３において原稿の設置、除去を検知すると、その都度本処理が実行される。Ｓ４０１では他の割り込み処理を禁止にする。Ｓ４０２では、本発明とは関係の無い処理を行う。その内容の説明は割愛する。次にＳ４０３で、原稿検知部２０３からの情報により原稿が設置されたか、もしくは除去されたかを判断し、その結果によって処理を分岐させる。設置された場合はＳ４１０へ、除去された場合はＳ４２０へ処理を進める。Ｓ４１０では、原稿Ｆｌａｇを「あり」に設定する。
【００２７】
本フラグは処理３００にて使用されることは、先に説明した。Ｓ４１１ではＵＳＢＦｌａｇの設定値によって処理を分岐させる。ＵＳＢＦｌａｇが「あり」に設定されていると、Ｓ４３０へ、「なし」に設定されているとＳ４３１へ進める。Ｓ４３０では、画面制御部２０２が画面表示処理３として現在表示していたフォルダ情報を使用してスキャン基本画面８００を表示し、Ｓ４３１へ進む。Ｓ４２０に進んだ場合は、原稿Ｆｌａｇを「なし」に設定する。
【００２８】
次にＳ４２１で、ＵＳＢＦｌａｇの判定を行う。「あり」の場合はＳ４２２、「なし」の場合はＳ４３１へ進む。Ｓ４２２では、文書選択画面にて文書が選択済みであるか否かを判定する。選択済みである場合はＳ４４０へ進む。選択されていない場合はＳ４５へ進む。Ｓ４４０は画面制御部２０２が画面表示処理４として、選択されている文書に対するプリント基本画面７００を表示し、Ｓ４３１へ進む。Ｓ４５０は画面制御部２０２が画面処理５として表示していたフォルダ情報を使用して文書選択画面５００を表示し、Ｓ４３１へ進む。Ｓ４３１では割り込み禁止を解除し、その後Ｓ４９９へ進み本処理４００を終了する。
【００２９】
図５〜図８は画面制御部２０２がＵＩ２０１に表示する画面の一例である。図５は、印刷する文書を選択する文書選択画面の一例である。ラベル５０１は、現在表示しているフォルダの情報を表示するエリアである。図５の例では、￥Ｆｏｌｄｅｒ１￥Ｆｏｌｄｅｒ２であることを示している。行５１０〜行５１４はフォルダの内容を表示するエリアである。行５１０は文書を表示している。そのファイル名がａ．ｐｄｆ、更新日付が４／２８  １３：４５であることを示している。行５１１〜行５１３も同様に文書を表示している。行５１４はフォルダを表示しており、そのフォルダ名がＦｏｌｄｅｒ３で、その日付が４／２８  １３：４５であることを示している。
【００３０】
行５１０〜行５１４で文書を表示している場合は印刷対象として選択することができる。図５の例では行５１０〜行５１３がそれにあてはまる。選択した文書はその行を反転する。もしくは行の左端に選択されたことを表す表示をしても良い。ボタン５２２、ボタン５２３はフォルダの内容をブラウズする際に使用する上下キーである。ボタン５２１は親フォルダへ移動するボタンである。ボタン５２０は行５１０〜行５１４のうち、印刷対象として選択された文書の印刷操作を行う画面（図７のプリント基本画面７００）へ遷移するボタンでる。
【００３１】
ボタン５２４、ボタン５２５はそれぞれ選択した文書の詳細情報を表示する画面、プレビュー画面へ遷移するボタンである。本画面の説明は本発明とは関係が無いため割愛する。本発明では、本画面を表示している状態で原稿を設置すると、現在表示しているフォルダを保存場所としてスキャン基本画面（８００）を表示する。例えば図５の画面を表示している状態で原稿を設置すると、￥Ｆｏｌｄｅｒ１￥Ｆｏｌｄｅｒ２に文書を保存するスキャン基本画面（８００）が表示され、ラベル８０１に￥Ｆｏｌｄｅｒ１￥Ｆｏｌｄｅｒ２が表示される。この状態で原稿開始のボタン（８０３）を押下すると、スキャンが開始され文書が￥Ｆｏｌｄｅｒ￥Ｆｏｌｄｅｒ２の下に保存される。
【００３２】
図６は、スキャンした文書を保存するフォルダを選択するフォルダ選択画面の一例である。ラベル６０１は、現在表示しているフォルダの情報を表示するエリアであり、本フォルダが選択されていることを示している。図６の例では、￥Ｆｏｌｄｅｒ１であることを示している。行６１０〜行６１４はフォルダの内容を表示するエリアであり、図５と同等であるためその説明は割愛する。ボタン６２１〜６２２についても図５と同等であるため、その説明は割愛する。ボタン６２０は、現在表示しているフォルダに対してスキャンした文書の保存操作を行う画面（図８のスキャン基本画面８００）へ遷移するボタンである。
【００３３】
行６１０〜行６１４で文書を表示している場合は詳細情報の表示、またはプレビューの表示の対象として選択することができる。図６の例では行６１０〜行６１３がそれにあてはまる。選択した文書はその行を反転する。もしくは行の左端に選択されたことを表す表示をしても良い。ボタン６２４、ボタン６２５はそれぞれ選択した文書の詳細情報を表示する画面、プレビュー画面へ遷移するボタンである。本画面の説明は本発明とは関係が無いため割愛する。
【００３４】
本発明では、原稿を設置している状態で本画面を表示している場合に、原稿を除去すると現在のフォルダの文書選択画面（５００）を表示する。例えば図６の画面を表示している状態で原稿を除去すると、￥Ｆｏｌｄｅｒ１を対象にした文書選択画面（５００）が表示される。さらに原稿を設置している状態でかつ本画面にて文書を選択している状態であった場合、選択した文書のプリント基本画面（７００）へ遷移する。図６で例えばａａ．ｐｄｆを選択している状態で原稿を除去すると、ａａ．ｐｄｆを印刷対象としたプリント基本画面（７００）が表示され、ラベル７０１に￥Ｆｏｌｄｅｒ１￥ａａ．ｐｄｆが表示される。この状態でプリント開始のボタン（７０３）を押下すると、ａａ．ｐｄｆの印刷が開始される。
【００３５】
図７は、画面５００で選択した文書の印刷操作を行うプリント基本画面の一例である。ラベル７０１は、印刷対象とした文書のファイル名を表示するエリアである。表示７０２は印刷設定の概要を示している。図７の例では、カラー印刷、用紙はＡ４、部数は１部であることを示している。ボタン７１０、ボタン７１１は印刷設定を行うための画面へ遷移するボタンである。それぞれカラー印刷の設定画面、用紙選択を行う画面となるが、その内容は本発明と関係ないため説明を割愛する。ボタン７０３はラベル７０１で表示している印刷対象とした文書の、印刷を開始するボタンである。
【００３６】
本発明では、本画面を表示している状態で原稿を設置すると、現在表示しているフォルダを保存場所としてスキャン基本画面（８００）を表示する。図７の例で言うと、￥Ｆｏｌｄｅｒ１に文書を保存するスキャン基本画面（８００）が表示され、ラベル８０１に￥Ｆｏｌｄｅｒ１が表示される。この状態で原稿開始のボタン（８０３）を押下すると、スキャンが開始され文書が￥Ｆｏｌｄｅｒの下に保存される。
【００３７】
図８は、画面６００で選択したフォルダに対して、スキャンした文書の保存操作を行うスキャン基本画面の一例である。ラベル８０１は、保存するフォルダのフォルダ名を表示するエリアである。表示８０２はスキャン設定の概要を示している。図８の例では、カラースキャン、解像度は６００ｄｐｉ、倍率が１００％、読取サイズはＡ４であることを示している。ボタン８１０〜ボタン８１２はスキャン設定を行うための画面へ遷移するボタンである。
【００３８】
ボタン８１０はカラースキャン設定画面、ボタン８１１は倍率設定画面、ボタン８１２は読取サイズ選択画面であるが、その内容は本発明と関係ないため説明を割愛する。ボタン８０３はスキャンを開始するボタンであり、スキャンした文書はラベル８０１で表示しているフォルダへ保存される。本発明では、原稿を設置している状態で本画面を表示している場合に、原稿を除去すると現在のフォルダの文書選択画面（５００）を表示する。例えば図８の画面を表示している状態で原稿を除去すると、￥Ｆｏｌｄｅｒ１￥Ｆｏｌｄｅｒ２を対象にした文書選択画面（５００）へ遷移する。ラベル５０１に￥Ｆｏｌｄｅｒ１￥Ｆｏｌｄｅｒ２が表示され、行５１０〜行５１４には￥Ｆｏｌｅｒ１￥Ｆｏｌｅｒ２の内容が表示される。
【００３９】
図９および図１０は図３および図４とは別の実施形態を実現するフローチャートの一例である。これらのフローチャートは画像形成装置のプログラムの一部であり、ＣＰＵ１０１によって実行される。
【００４０】
図９はＵＳＢＩ／Ｆ割り込み処理のフローチャートである。外部メモリ検知部２０５において外部メモリの挿抜の操作を検知すると、その都度本処理が実行される。図３のフローチャートにＳ９１１、Ｓ９６０が加えられたものとなる。Ｓ９１１では外部メモリが空であるかを判定する。空であればＳ９６０へ進み、空でなければＳ９１２へ進む。Ｓ９６０では画面処理６として、ルートを保存場所とするスキャン基本画面（８００）を表示する。これら以外の部分は図３と同様であるため、ここでは説明を割愛する。
【００４１】
図１０は原稿検知の割り込み処理のフローチャートである。原稿検知部２０３において原稿の設置、除去を検知すると、その都度本処理が実行される。図４のフローチャートにＳ１０１２、Ｓ１０２２、Ｓ１０６０、Ｓ１０７０が加えられたものとなる。Ｓ１０１２では、外部メモリが空であるかを判定する。空であればＳ１０６０へ進み、空でなければＳ１０３０へ進む。Ｓ１０２２でも外部メモリが空か否かを判定し、空であればＳ１０７０へ進み、空でなければＳ１０２３へ進む。Ｓ１０６０、Ｓ１０７０は図９のＳ９６０と同じ処理であり、画面表示処理６として、ルートを保存場所とするスキャン基本画面（８００）を表示する。これら以外の部分は図４と同様であるため、ここでは説明を割愛する。
【符号の説明】
【００４２】
１０１  ＣＰＵ
１１２  ＵＳＢＩ／Ｆ
２００  画像形成装置
２０１  ＵＩ
２０２  画面制御部
２０３  原稿検知部
２０５  外部メモリ検知部
２１０  印刷制御部
２１１  スキャン制御部
【図１】
2018129646.tif 000003
【図２】
2018129646.tif 000004
【図３】
2018129646.tif 000005
【図４】
2018129646.tif 000006
【図５】
2018129646.tif 000007
【図６】
2018129646.tif 000008
【図７】
2018129646.tif 000009
【図８】
2018129646.tif 000010
【図９】
2018129646.tif 000011
【図１０】
2018129646.tif 000012